(57)【特許請求の範囲】
【請求項１】
通信相手との距離が一定以内になった場合又は、上位レイヤから指示信号が通知された場合に、前記通信相手と無線通信を行う無線通信装置であって、
前記無線通信の品質が第１閾値より低いか否か判定する判定部と、
前記通信相手と通信を行う場合に、第１のデータレートと通信耐性とに関する第１パラメータを設定する第１設定部と、
前記上位レイヤから指示信号が通知され、前記通信相手と通信を行う場合、かつ前記第１パラメータで無線通信を行っているときに前記品質が前記第１閾値より低いと判定された場合、前記第１パラメータが示す前記第１のデータレートよりも低い第２のデータレートと前記第１パラメータが示す通信耐性よりも強い通信耐性とに関する第２パラメータを設定する第２設定部と、
前記第１設定部又は前記第２設定部が設定したパラメータで前記無線通信を行う無線部と、を具備し、
前記無線通信の開始時は、前記第１パラメータで前記無線通信を行い、前記通信相手との距離が第２閾値以内であれば、前記第２パラメータではなく前記第１パラメータで前記無線通信を行なうことを特徴とする無線通信装置。
【請求項２】
通信相手との距離が一定以内になった場合又は、上位レイヤから指示信号が通知された場合に、前記通信相手と無線通信を行う無線通信装置であって、
前記無線通信の品質が第１閾値より低いか否か判定する判定部と、
前記通信相手と通信を行う場合に、第１のデータレートと通信耐性とに関する第１パラメータを設定する第１設定部と、
前記通信相手との距離が一定以内になったことを示す近接検出信号又は前記指示信号を受け取ってから第１期間経過まで時間を計測するタイマー部と、
前記判定部により前記信号の信号品質が前記第１閾値より低いと判定され、かつ前記時間が前記第１期間を経過した場合に、前記第１パラメータが示す前記第１のデータレートよりも低い第２のデータレートと前記第１パラメータが示す通信耐性よりも強い通信耐性とに関する第２パラメータを設定する第２設定部と、
前記第１設定部又は前記第２設定部が設定したパラメータで無線通信を行う無線部と、を具備し、
前記タイマー部は、前記近接検出信号を検出してから第２期間を計測し、前記指示信号を検出してから第３期間を計測し、前記近接検出信号のみを受け取った場合は前記第２期間を前記第１期間として設定して時間を計測し、前記指示信号のみを受け取った場合は前記第３期間を前記第１期間として設定して時間を計測し、該近接検出信号と該指示信号とを受け取った場合は、該第３期間を前記第１期間として設定して時間を計測することを特徴とする無線通信装置。
【請求項３】
前記第１閾値を設定する閾値設定部をさらに具備し、
前記閾値設定部は、前記無線通信装置に接続されるアンテナが該無線通信装置に内蔵される場合の閾値は、アンテナが該無線通信装置に内蔵されない場合の閾値よりも低く設定することを特徴とする請求項１または請求項２に記載の無線通信装置。
【請求項４】
通信に使用するキャリア周波数がミリ波帯であり、アンテナが前記無線通信装置に内蔵される場合、前記第１パラメータとしてＦＦＴ（Ｆａｓｔ  Ｆｏｕｒｉｅｒ  Ｔｒａｎｓｆｏｒｍ）サイズが６４ポイントのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を用いることを特徴とする請求項１または請求項２に記載の無線通信装置。
【請求項５】
前記タイマー部は、外部から要求されるデータサイズの想定値に応じて、該データサイズが大きいほど前記第１期間を長く設定して計測することを特徴とする請求項２に記載の無線通信装置。
【請求項６】
前記タイマー部は、前記第２期間よりも前記第３期間を長く設定して計測することを特徴とする請求項２に記載の無線通信装置。
【請求項７】
通信相手との距離が一定以内になった場合又は、上位レイヤから指示信号が通知された場合に、前記通信相手と無線通信を行う無線通信方法であって、
前記無線通信の品質が第１閾値より低いか否か判定し、
前記通信相手と通信を行う場合に、第１のデータレートと通信耐性とに関する第１パラメータを設定し、
前記上位レイヤから指示信号が通知され、前記通信相手と通信を行う場合、かつ前記第１パラメータで無線通信を行っているときに前記品質が前記第１閾値より低いと判定された場合、前記第１パラメータが示す前記第１のデータレートよりも低い第２のデータレートと前記第１パラメータが示す通信耐性よりも強い通信耐性とに関する第２パラメータを設定し、
前記第１パラメータ又は前記第２パラメータで前記無線通信を行い、
前記無線通信の開始時は、前記第１パラメータで前記無線通信を行い、前記通信相手との距離が第２閾値以内であれば、前記第２パラメータではなく前記第１パラメータで前記無線通信を行うことを特徴とする無線通信方法。
【請求項８】
通信相手との距離が一定以内になった場合又は、上位レイヤから指示信号が通知された場合に、前記通信相手と無線通信を行う無線通信方法であって、
前記無線通信の品質が第１閾値より低いか否か判定し、
前記通信相手と通信を行う場合に、第１のデータレートと通信耐性とに関する第１パラメータを設定し、
前記通信相手との距離が一定以内になったことを示す近接検出信号又は前記指示信号を受け取ってから第１期間経過まで時間を計測し、
前記判定部により前記信号の信号品質が前記第１閾値より低いと判定され、かつ前記時間が前記第１期間を経過した場合に、前記第１パラメータが示す前記第１のデータレートよりも低い第２のデータレートと前記第１パラメータが示す通信耐性よりも強い通信耐性とに関する第２パラメータを設定し、
前記第１パラメータ又は前記第２パラメータで無線通信を行い、
前記近接検出信号を検出してから第２期間を計測し、前記指示信号を検出してから第３期間を計測し、前記近接検出信号のみを受け取った場合は前記第２期間を前記第１期間として設定して時間を計測し、前記指示信号のみを受け取った場合は前記第３期間を前記第１期間として設定して時間を計測し、該近接検出信号と該指示信号とを受け取った場合は、該第３期間を前記第１期間として設定して時間を計測することを特徴とする無線通信方法。
【発明の詳細な説明】
【技術分野】
【０００１】
本発明は、無線通信技術に関し、特に近距離無線通信に使用される無線通信装置に関する。
【背景技術】
【０００２】
従来の近距離通信では、通信の際にマルチパスが発生しないと想定しているものがある。通信装置は、通信相手との接触を検出する接触検出部を有しており、接触検出時は近距離通信とみなし、マルチパスに弱いがデータレートは高い無線通信方式で通信装置が高速伝送を行う。一方、通信装置は、接触非検出時は非近距離通信とみなし、安定性を重視し、マルチパスに強いがデータレートは低い無線通信方式で低速伝送を行う（例えば、特許文献１参照）。
【先行技術文献】
【特許文献】
【０００３】
【特許文献１】特開２００７−２３５６０５号公報
【発明の概要】
【発明が解決しようとする課題】
【０００４】
しかし、ミリ波などキャリア周波数が高い場合は伝搬損失が高く、さらに近距離における通信でもマルチパスが発生して通信が不安定になる可能性がある。よって接触検出時に高速伝送により通信を行っていても通信装置は実質的に高速伝送ができていないことがある。逆に、接触非検出時には、安定性を重視して低速伝送で通信装置は通信を行うが、実際には高速伝送で通信することが可能な場合もあり、このような場合には低速伝送から高速伝送に切り替えて対応できない問題がある。【０００５】
本発明は、上述の課題を解決するためになされたものであり、近距離でマルチパスが発生する場合でも高速伝送と安定性を重視した低速伝送とを状況に応じて使い分けることができる無線通信装置を提供することを目的とする。
【課題を解決するための手段】
【０００６】
上述の課題を解決するため、本実施形態に係る無線通信装置は、通信相手との距離が一定以内になった場合又は、上位レイヤから指示信号が通知された場合に、前記通信相手と無線通信を行う無線通信装置であって、前記無線通信の品質が第１閾値より低いか否か判定する判定部と、前記通信相手と通信を行う場合に、第１のデータレートと通信耐性とに関する第１パラメータを設定する第１設定部と、前記上位レイヤから指示信号が通知され、前記通信相手と通信を行う場合、かつ前記第１パラメータで無線通信を行っているときに前記品質が前記第１閾値より低いと判定された場合、前記第１パラメータが示す前記第１のデータレートよりも低い第２のデータレートと前記第１パラメータが示す通信耐性よりも強い通信耐性とに関する第２パラメータを設定する第２設定部と、前記第１設定部又は前記第２設定部が設定したパラメータで前記無線通信を行う無線部と、を具備し、前記無線通信の開始時は、前記第１パラメータで前記無線通信を行い、前記通信相手との距離が第２閾値以内であれば、前記第２パラメータではなく前記第１パラメータで前記無線通信を行なうことを特徴とする。
【０００７】
また、本実施形態に係る無線通信装置は、通信相手との距離が一定以内になった場合又は、上位レイヤから指示信号が通知された場合に、前記通信相手と無線通信を行う無線通信装置であって、前記無線通信の品質が第１閾値より低いか否か判定する判定部と、前記通信相手と通信を行う場合に、第１のデータレートと通信耐性とに関する第１パラメータを設定する第１設定部と、前記通信相手との距離が一定以内になったことを示す近接検出信号又は前記指示信号を受け取ってから第１期間経過まで時間を計測するタイマー部と、前記判定部により前記信号の信号品質が前記第１閾値より低いと判定され、かつ前記時間が前記第１期間を経過した場合に、前記第１パラメータが示す前記第１のデータレートよりも低い第２のデータレートと前記第１パラメータが示す通信耐性よりも強い通信耐性とに関する第２パラメータを設定する第２設定部と、前記第１設定部又は前記第２設定部が設定したパラメータで無線通信を行う無線部と、を具備し、前記タイマー部は、前記近接検出信号を検出してから第２期間を計測し、前記指示信号を検出してから第３期間を計測し、前記近接検出信号のみを受け取った場合は前記第２期間を前記第１期間として設定して時間を計測し、前記指示信号のみを受け取った場合は前記第３期間を前記第１期間として設定して時間を計測し、該近接検出信号と該指示信号とを受け取った場合は、該第３期間を前記第１期間として設定して時間を計測することを特徴とする。
【発明の効果】
【０００８】
本発明の無線通信装置によれば、近距離でマルチパスが発生する場合でも高速伝送と安定性を重視した低速伝送とを状況に応じて使い分けることができる。
【図面の簡単な説明】
【０００９】
【図１】第１の実施形態に係る無線通信装置の使用方法の一例を示す図。
【図２】第１の実施形態に係る無線通信装置を示すブロック図。
【図３】無線通信のフレームフォーマットの一例を示す図。
【図４】起動部への入力信号および無線部からの信号品質の一例を示す図。
【図５】フレームのパラメータの一例を示す図。
【図６】ＦＦＴポイント数に応じた伝送効率の比較についての一例を示す図。
【図７】ＦＦＴポイント数に対するＯＦＤＭのサブキャリアのサイドローブレベルを示す図。
【図８】ＦＦＴポイント数に対する受信ＦＦＴ処理の総演算量を示す図。
【図９】ＦＦＴポイント数に対する実効速度の比較についての一例を示す図。
【図１０】親局から端末へデータが転送される場合の制御動作を示すフローチャート。
【図１１】受信パケット誤り数を用いた閾値判定の動作を示すフローチャート。
【図１２】端末から親局へデータが転送される場合の制御動作を示すフローチャート。
【図１３】送信パケット誤り数を用いた閾値判定の動作を示すフローチャート。
【図１４】第２の実施形態に係る無線通信装置の使用方法の一例を示す図。
【図１５】第２の実施形態に係る無線通信装置の構成を示すブロック図。
【図１６】第２の実施形態に係るタイマーの構成の一例を示すブロック図。
【図１７】第２の実施形態における親局から端末へデータが転送される場合の動作を示すフローチャート。
【図１８】第３の実施形態に係る無線通信装置の構成を示すブロック図。
【図１９】第３の実施形態に係るタイマーの構成の一例を示すブロック図。
【図２０】第３の実施形態の係る無線通信装置の構成の別例を示すブロック図。
【図２１】マルチパスに起因する遅延波の最大遅延時間の測定値を示す図。
【図２２】第３の実施形態に係る無線部に含まれる復調部の構成を示す図。
【発明を実施するための形態】
【００１０】
以下、図面を参照しながら本発明の実施形態に係る無線通信装置について詳細に説明する。なお、以下の実施形態では、同一の番号を付した部分については同様の動作を行うものとして、重ねての説明を省略する。
【００１１】
（第１の実施形態）  
本実施形態に係る無線通信装置の使用例について図１を参照して詳細に説明する。  
本実施形態に係る無線通信装置は端末１０１および親局１０２において使用されることを想定し、（Ａ）は、端末１０１と親局１０２とを近づけて数秒で転送（以下、瞬時転送ともいう）する場合を示す。端末１０１としては、携帯電話、ＰＤＡ（Ｐｅｒｓｏｎａｌ  Ｄｉｇｉｔａｌ  Ａｓｓｉｓｔａｎｃｅ）などが考えられる。親局１０２は、本実施形態ではテキストおよび映像などのコンテンツデータを格納し、端末の要求に応じて送信する機器である。具体的には、自動改札機、ＴＶなどが考えられる。（Ａ）に示す例は、端末１０１および親局１０２は共にＮＦＣ（Ｎｅａｒ  Ｆｉｅｌｄ  Ｃｏｍｍｕｎｉｃａｔｉｏｎ）を有し、親局１０２から小さなサイズのテキストデータを端末１０１へ瞬時転送される場合であり、瞬時転送できる通信距離は機器間の距離が数十センチを想定している。
【００１２】
（Ｂ）は、端末１０１と親局１０２とを近づけて、ユーザが端末１０１のボタンを押して瞬時転送する場合を示す。親局１０２はＮＦＣを有しておらず、端末１０１のボタンを押下するなど特定の動作をトリガーとして、親局１０２からｗｅｂコンテンツなど比較的小さなサイズのデータが端末１０１へ瞬時転送される場合を想定している。
【００１３】
（Ｃ）は、端末１０１と親局１０２とを近づけてボタンを押下し、通信を開始してから端末１０１を少し離して数分で転送する場合を示す。親局１０２は、（Ｂ）同様ＮＦＣを有していない。また、親局１０２から映像コンテンツなど比較的大きなサイズのデータが転送されることを想定しているため、ユーザが端末１０１を持った状態でボタンを押下し、その後端末１０１を他の場所に置いてユーザは端末１０１から離れることが考えられる。この場合、ユーザが端末１０１を持っているときには通信状態が良く高速に通信することが可能であるが、その位置からずれて、端末１０１を他の場所に置いたときには通信状態が悪くなる状況を想定している。  
なお、図１では端末１０１と親局１０２との通信において、親局１０２からデータを送信し、端末１０１がコンテンツなどのデータを受信することを想定しているが、これに限らず、端末１０１からコンテンツなどのデータを送信し、親局１０２がこのデータを受信してもよい。また、端末１０１同士や、ＰＣ、情報ＫＩＯＳＫ（登録商標）など、他のデジタル機器間によりデータを送受信してもよい。
【００１４】
次に、本実施形態に係る無線通信装置の構成について図２を参照して詳細に説明する。  
本実施形態に係る無線通信装置２００は、起動部２０１、高速モードパラメータ設定部２０２、無線部２０３、閾値設定部２０４、閾値判定部２０５、および低速モードパラメータ設定部２０６を含む。
【００１５】
起動部２０１は、外部から近接検出信号および指示信号の少なくともいずれかが入力されたときに起動信号を出力する。近接検出信号は、通信機器間の距離が一定距離以内に近づくことにより通信が開始される距離を示す近接距離に、通信機器間の距離が達したことを検出する信号である。指示信号は、通信機器に対する特定の指示を検出する信号である。具体的には、ボタンの押下などユーザからの機器に対する特定の操作を検出する信号、または他のシステムにより自動的に起動するような指示が本無線通信装置に与えられる場合に、その指示を検出する信号である。これら２つの信号は、上位レイヤを介して無線通信装置に送られる信号であり２つの信号を合わせて指示信号とする。近接検出信号および指示信号は図４を参照して後述する。
【００１６】
高速モードパラメータ設定部２０２は、起動部２０１から起動信号を受け取り、高速モードのパラメータ設定値を設定する。高速モードは、シンボルレートやデータレートが高いが通信耐性は弱めに設定されており高速伝送が可能な設定を示す。高速モードの設計については図５から図９までを参照して後述する。
【００１７】
無線部２０３は、高速モードパラメータ設定部２０２から高速モードのパラメータ設定値を受け取り、パラメータ設定値に基づいて高速モードで無線通信を行う。また、所定の間隔で信号品質を算出する。信号品質は、通信の伝搬状態を示す指標であり、図３を参照して後述する。また、無線部２０３は、後述する低速モードパラメータ設定部２０６から低速モードのパラメータ設定値を受け取ったときは、低速モードのパラメータ設定値に基づいて高速モードから低速モードに切り替えて無線通信を行う。低速モードは、高速モードと比較してシンボルレートやデータレートは低いが、高速モードよりも通信耐性が高く安定して通信を行うことができる低速伝送の設定を示す。低速モードの設計については後に詳細に説明する。
【００１８】
閾値設定部２０４は、無線通信を高速モードで行うかまたは低速モードで行うかを判定するための信号品質の閾値を設定する。  
閾値判定部２０５は、無線部２０３から信号品質を、閾値設定部２０４から閾値をそれぞれ受け取り、信号品質が劣化しているかどうか、すなわち信号品質が閾値よりも低いかどうかを判定して判定値を算出する。  
低速モードパラメータ設定部２０６は、信号品質が劣化していると閾値判定部２０５が判定したとき、閾値判定部２０５から信号品質が閾値よりも低いことを示す判定値を受け取り、かつ、ユーザ操作の検出信号を受け取った場合に低速モードのパラメータ設定値を設定する。
【００１９】
ここで、本実施形態における無線通信で使用するフレームフォーマットについて図３を参照して詳細に説明する。  
端末１０１および親局１０２の間では、データパケット（ＤＡＴＡ）３０１と応答パケット（ＡＣＫ）３０５とがＩＦＳ（Ｉｎｔｅｒ  Ｆｒａｍｅ  Ｓｐａｃｅ）と呼ばれる間隔を空けて相互に通信される。データパケット３０１は、プリアンブル（ｐｒｅａｍｂｌｅ）３０２と、ＰＨＹヘッダー３０３と、データ本体３０４とを含む。応答パケット３０５は、同様に、プリアンブル３０６と、ＰＨＹヘッダー３０７と、ＡＣＫ本体３０８とを含む。データパケット３０１のＰＨＹヘッダー３０３および応答パケットのＰＨＹヘッダー３０７にはそれぞれ、高速モードと低速モードとを識別するためのフラグである、「高速モードフラグ：０」と「低速モードフラグ：１」とが設定される。
【００２０】
本実施形態における無線通信装置２００の起動部２０１への入力信号の一例、および無線部２０３が出力する信号品質の一例について図４を参照して詳細に説明する。  
近接検出信号を得る方法としては、例えば、ＮＦＣよる検出、ＲＦＩＤ（Ｒａｄｉｏ  Ｆｒｅｑｕｅｎｃｙ  ＩＤｅｎｔｉｆｉｃａｔｉｏｎ）による検出、接触センサによる検出、および磁気センサによる検出がある。これらの方法は一般的に用いられている方法であるため、ここでの具体的な説明は省略するが、これらの方法のうちいずれか１つを用いるか、またはこれらの方法のうち複数を組み合わせて近接検出信号を生成すればよい。指示信号を得る方法としては、例えば、ユーザが特定のボタンを押下することにより指示信号を生成してもよいし、音声認識により指示信号を生成してもよい。また、上位のアプリケーション（上位レイヤ）に、ある日時になると本無線通信装置に通信を行わせるような指示を組み込んで、これを指示信号として起動部２０１へ送ってもよい。
【００２１】
また、閾値判定部２０５において閾値判定に用いられる、無線部２０３から出力される信号品質の一例としては、チャネル推定値の時間応答、チャネル推定値の周波数応答、周波数オフセット、受信パケット誤り数、および送信パケット誤り数が挙げられる。  
チャネル推定値の時間応答を閾値判定に用いる場合は、マルチパスに起因する遅延波の最大遅延時間に対して閾値を設定し、最大遅延時間が閾値を超えたときに低速モードへ切り替えるトリガーとする。  
チャネル推定値の周波数応答を閾値判定に用いる場合は、マルチパスに起因する周波数応答の振幅値の最大値と最小値との差に対して閾値を設定し、この差が閾値を超えたときに低速モードへ切り替えるトリガーとする。
【００２２】
周波数オフセット推定値を閾値判定に用いる場合は、無線通信装置間のクロック周波数の差（ずれ）に対して閾値を設定し、クロック周波数の差が大きくなると、ＯＦＤＭ方式を用いた通信では復調に対して影響を及ぼす。よって、この差が閾値を超えたときに低速モードへ切り替えるトリガーとする。周波数オフセットは、図３に示すプリアンブル３０２、３０６から推定することができる。  
受信パケット誤り数または送信パケット誤り数を閾値判定に用いる場合、受信パケット誤り数または送信パケット誤り数がある閾値を超えたときに低速モードへ切り替えるトリガーとする。
【００２３】
ここで、高速モードのパラメータ設定値の設計内容について図５から図９までを参照して詳細に説明する。  
無線部２０３で使用するキャリア周波数がミリ波帯であり、無線部２０３のアンテナが機器に内蔵されており、通信範囲は１０ｃｍ程度を想定している。変調方式は、ＦＦＴ（ｆａｓｔ  Ｆｏｕｒｉｅｒ  ｔｒａｎｓｆｏｒｍ）サイズ６４ポイントのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）である。ＯＦＤＭのガードインターバル長は、後述する図２１の測定結果を考慮して２ナノ秒以上とする。ガードインターバル長を不必要に大きくするとデータレートの低下につながり好ましくない。そこで、本実施形態では、ガードインターバル長の上限を６．４ナノ秒とする。以下に根拠を説明する。
【００２４】
ガードインターバルのポイント数はデジタル信号処理の並列数の整数倍とするのが設計上望ましい。一方、電波法で規定された６０ＧＨｚ帯１チャネル分の信号帯域は２．５ＧＨｚであることから、サンプリングレートとして２．５ＧＨｚ（０．４ナノ秒）を想定するのが適当である。この場合、デジタル信号処理の並列数はせいぜい１６パラレル（１５６．２５ＭＨｚ）が現実的と考えられる。したがって、ガードインターバル長の上限を０．４ナノ秒×１６ポイント＝６．４ナノ秒としている。ここで、図５に高速モードにおけるフレームのパラメータを示す。ＩＦＳの長さを２マイクロ秒に設定し、ガードインターバル（ＧＩ）５０１を３．２ナノ秒、有効シンボル５０２が１６ポイント（６．４ナノ秒）から１２８ポイント（５１．２ナノ秒）までとする。
【００２５】
また、ＦＦＴポイント数を６４ポイントとすることが低消費電力化と高速化の観点で最適である理由を説明する。  
ＦＦＴポイント数に応じた伝送効率の比較について図６に示す。ここでは、サンプリングレートとして２．５ＧＨｚ、サブキャリア変調としてＱＰＳＫを用いる。また、高速に通信を行うことを目的としているため誤り訂正符号化は行わない。なお、データサブキャリア数は、図７に示すように、信号帯域端のサブキャリアの３番目のサイドローブレベルがＦＦＴポイント数によらず同じになるように調整している。  
図６には、ＦＦＴのポイント数に対して、データサブキャリア（Ｄａｔａ  ＳＣ）数、ＤＣ成分のヌルサブキャリア（ＤＣ  ＳＣ）数、およびＱＰＳＫにおける１シンボル当たりのビット数をそれぞれ対応させて示している。ＦＦＴポイント数が少ないほど、伝送効率が落ち、高速伝送が困難になることが分かる。
【００２６】
さらに、ＦＦＴポイント数に対する受信ＦＦＴ処理の総演算量の比較について図８に示す。図８に示すように、６４ポイントＦＦＴと３２ポイントＦＦＴ（ともにＤＣ成分のヌルサブキャリア数は１）が受信ＦＦＴ処理の総演算量の観点で最適であることが分かる。  
さらに、ＦＦＴポイント数に対する実効速度の比較について図９に示す。６４ポイントＦＦＴと３２ポイントＦＦＴとを比較すると６４ポイントＦＦＴの方が実効速度の観点で最適であることが分かる。よってＦＦＴポイント数として６４ポイントが最適である。
【００２７】
次に、低速モードの設計について説明する。低速モードは、高速モード同様６４ポイントＦＦＴを用いるＯＦＤＭを使用する。  
低速モードの例としては、以下の３つが挙げられる。  
ａ）誤り訂正符号化の符号化率を下げる  
ｂ）同一のデータを繰り返し送る  
ｃ）マルチパスの影響を受けているサブキャリアを使用しない  
ａ）の誤り訂正符号化の符号化率を下げる具体例としては、畳み込み符号の場合は、パンクチャ処理を行わない方法があり、リードソロモン符号の場合は、符号化長またはデータ長を短くする方法がある。
【００２８】
また、ｂ）同一のデータを繰り返す例としては、ＯＦＤＭシンボルレペティション、サブキャリアレペティションが挙げられる。ＯＦＤＭシンボルレペティションは、連続する少なくとも２つ以上のＯＦＤＭシンボルを同じにする。サブキャリアレペティションは、ＯＦＤＭシンボル内の少なくとも２つ以上のサブキャリアのシンボルを同じにする。
【００２９】
ｃ）マルチパスの影響を受けているサブキャリアを使用しない例としては、連続するサブキャリア単位を使用しない方法と、一定間隔のサブキャリア単位を使用しない方法が考えられる。具体的には、サブキャリアに「１」、「２」、・・・、「６３」と番号が振られていると仮定する。連続するサブキャリア単位を使用しない場合は、「１」、「２」、・・・、「８」までを使用しないとする。一方、一定間隔のサブキャリア単位を使用しない場合は「１」、「９」、「１７」、・・・、「５６」までを使用しないとすることもできる。なお、上述した低速モードの例ａ）からｃ）のうち、低速モードとして使用する方法は１つだけに限らず、これらを組みあわて用いてもよい。
【００３０】
図１０に本実施形態に係る無線通信装置２００の動作のフローチャートを示す。  
図１０（ａ）は端末１０１側の動作を示し、図１０（ｂ）は親局１０２側の動作を示す。ここでは、親局１０２から端末１０１へデータが転送される場合について説明する。まず、端末１０１の動作について図１０（ａ）のフローチャートを参照して詳細に説明する。  
始めに、無線通信装置２００に係る端末１０１は、起動部２０１に近接検出信号および指示信号のいずれかが入力された時に起動する。
【００３１】
ステップＳ１００１では、無線部２０３が、高速モードパラメータ設定部２０２からの高速モードパラメータにより無線通信を高速モードで行うように設定する。  
ステップＳ１００２では、無線部２０３が通信相手（ここでは、親局１０２）からの接続要求パケットを正常に受信できたかどうかの判定を行う。パケットを正常に受信できた場合はステップＳ１００３へ進み、パケットを受信できない場合は、パケットを受信するまでステップＳ１００２を繰り返す。  
ステップＳ１００３では、無線部２０３が通信相手にコンテンツ要求パケットを送信する。  
ステップＳ１００４では、無線部２０３がデータパケットを正常に受信できたかどうかの判定を行う。データパケットを正常に受信できなかった場合はステップＳ１００５へ進み、データパケットを正常に受信できた場合はステップＳ１００６へ進む。初めてステップＳ１００４を処理するときは、ｎは１である。
【００３２】
ステップＳ１００５では、無線部２０３が正常に受信できなかったデータパケットが最初のデータパケット（データパケット＃１）であるかどうかを判定する。最初のデータパケットである場合はステップＳ１００２へ戻り、ステップＳ１００２からステップＳ１００４まで上述した処理を繰り返す。最初のデータパケットでない場合は、データパケットを正常に受信するまでステップＳ１００４の処理を繰り返す。  
ステップＳ１００６では、閾値判定部２０５が、無線部２０３からの信号品質と閾値設定部２０４からの閾値とを比較して、信号品質が閾値よりも低いかどうかを判定する。信号品質が閾値よりも低い場合は、ステップＳ１００７へ進む。信号品質が閾値以上である場合は、ステップＳ１００９へ進む。
【００３３】
ステップＳ１００７では、低速モードパラメータ設定部２０６が指示信号を受け取ったかどうかを判定する。無線通信装置２００が指示信号を受け取った場合は、ステップＳ１００８へ進む。無線通信装置２００が指示信号を受け取っていない場合は、ステップＳ１００９へ進む。  
ステップＳ１００８では、無線部２０３が低速モードパラメータ設定部２０６から低速モードパラメータを受け取ることにより、無線通信を高速モードから低速モードで行うように切り替える。  
ステップＳ１００９では、無線部２０３が通信相手に応答パケットを送信する。  
ステップＳ１０１０では、無線部２０３がデータパケットの受信を全て終了したかどうかを判定する。データパケットの受信が全て終了していない場合はステップＳ１０１１においてｎを１つインクリメントしたのち、ステップＳ１００４へ戻り、データパケットを全て受信するまでステップＳ１００４からステップＳ１００９までの処理を繰り返す。以上で端末１０１側の動作を終了する。
【００３４】
次に、親局１０２側の動作を図１０（ｂ）のフローチャートを参照して詳細に説明する。  
ステップＳ１０５１では、無線部２０３が、高速モードパラメータ設定部２０２からの高速モードパラメータにより無線通信を高速モードで行うように設定する。  
ステップＳ１０５２では、無線部２０３が通信相手（ここでは、端末１０１）に接続要求パケットを送信する。  
ステップＳ１０５３では、無線部２０３が通信相手からのコンテンツ要求パケットを正常に受信したかどうかを判定する。コンテンツ要求パケットを正常に受信した場合は、ステップＳ１０５４へ進む。コンテンツ要求パケットを正常に受信していない場合は、ステップＳ１０５２へ戻り、同様の処理を繰り返す。  
ステップＳ１０５４では、ｎを１に設定する。  
ステップＳ１０５５では、無線部２０３が通信相手にデータパケットをｎから順に送信する。初めてステップＳ１０５５を処理するときは、ｎは１である。
【００３５】
ステップＳ１０５６では、無線部２０３が通信相手から応答パケットを正常に受信したかどうかを判定する。応答パケットを正常に受信した場合は、ステップＳ１０５７へ進み、応答パケットを正常に受信していない場合は、応答パケットを受信するまでステップＳ１０５５の処理を繰り返す。  
ステップＳ１０５７では、無線部２０３が高速モードから低速モードに切り替えるかどうかの判定を行う。この判定は、例えば図３に示すＰＨＹヘッダーのフラグが低速モードを示すかどうかにより行う。フラグが低速モードを示す場合は、ステップＳ１０５８に進み、無線部２０３が低速モードパラメータ設定部２０６から低速モードパラメータを受け取ることにより、無線通信を高速モードから低速モードへ行うように切り替える。フラグが低速モードを示さない場合は、ステップＳ１０５９へ進む。  
ステップＳ１０５９では、無線部２０３が全てのデータを送信したかどうかを判定する。全てのデータを送信していない場合、ステップＳ１０６０においてｎを１つインクリメントしたのち、ステップＳ１０５５からステップＳ１０５８まで同様の処理を繰り返す。全てのデータを送信した場合は、最初の状態（ステップＳ１０５１）へ戻る。
【００３６】
ここで、信号品質の具体例として、受信パケット誤り数を用いて閾値判定をおこなう場合の端末の動作について図１１を参照して詳細に説明する。  
ステップＳ１１０１からステップＳ１１０３までの処理は、図１０（ａ）に示すステップＳ１００１からステップＳ１００３までの処理と同様であるためここでの説明を省略する。  
ステップＳ１１０４では、エラーカウンター（ｅｒｒ）を０に設定する。  
ステップＳ１１０５では、無線部２０３が通信相手からデータパケットを正常に受信できたかどうかの判定を行う。データパケットを正常に受信できた場合、ステップＳ１１０８へ進み、データパケットを正常に受信できなかった場合、ステップＳ１１０６へ進む。
【００３７】
ステップＳ１１０６では、エラーカウンターを１つインクリメントする。  
ステップＳ１１０７では、無線部２０３が正常に受信できなかったデータパケットが最初のデータパケットであるかどうかを判定する。最初のデータパケットである場合は、ステップＳ１１０２へ戻り、ステップＳ１１０２からステップＳ１１０６まで上述した処理を繰り返す。最初のデータパケットでない場合は、データパケットを正常に受信するまでステップＳ１１０５の処理を繰り返す。すなわち、最初のデータパケット（＃１）以外のデータパケット（＃２）以降は、データパケットが受信できなければエラーカウンターがインクリメントされ続けることになる。  
ステップＳ１１０８では、閾値判定部２０５が、無線部２０３からの受信したデータパケットのエラーカウンターのカウント数と閾値設定部２０４からの閾値とを比較して、エラーカウンターのカウント数が閾値よりも大きいかどうかを判定する。エラーカウンターのカウント数が閾値よりも大きい場合は、ステップＳ１１０９へ進む。エラーカウンターのカウント数が閾値以下である場合は、ステップＳ１１１１へ進む。
【００３８】
ステップＳ１１０９では、低速モードパラメータ設定部２０６が指示信号を受け取ったかどうかを判定する。低速モードパラメータ設定部２０６が指示信号を受け取った場合は、ステップＳ１１１０へ進む。低速モードパラメータ設定部２０６が指示信号を受け取っていない場合は、ステップＳ１１１１へ進む。  
ステップＳ１１１０では、無線部２０３が、低速モードパラメータ設定部２０６から低速モードパラメータを受け取ることにより、無線通信を高速モードから低速モードで行うように切り替える。  
ステップＳ１１１１では、無線部２０３が通信相手に応答パケットを送信する。  
ステップＳ１１１２では、無線部２０３がデータの受信を全て終了したかどうかを判定する。データの受信を全て終了していない場合はステップＳ１１１３においてｎを１つインクリメントしたのち、ステップＳ１１０５へ戻り、全てのデータを受信するまでステップＳ１１０５からステップＳ１１１１までの処理を繰り返す。
【００３９】
次に、端末１０１から親局１０２へデータが転送される場合についての端末１０１および親局１０２の動作を図１２（ａ）および図１２（ｂ）のフローチャートを参照して詳細に説明する。始めに、端末１０１の動作について図１２（ａ）のフローチャートを参照して説明する。  
端末１０１は、図１０（ａ）に示す場合と同様、起動部２０１に近接検出信号およびボタン押下検出信号のいずれかが入力された時に起動する。  
ステップＳ１２０１では、無線部２０３が、高速モードパラメータ設定部２０２からの高速モードパラメータにより無線通信を高速モードで行うように設定する。
【００４０】
ステップＳ１２０２では、無線部２０３が通信相手に接続要求パケットを送信する。  
ステップＳ１２０３では、無線部２０３が通信相手から送信された接続許可パケットを正常に受信できたかどうかを判定する。接続許可パケットを正常に受信できた場合は、ステップＳ１２０４へ進み、接続許可パケットを正常に受信できなかった場合は、ステップＳ１２０２へ戻り、通信相手からの接続許可パケットを正常に受信するまでステップＳ１２０２を繰り返す。  
ステップＳ１２０４では、ｎを１に設定する。  
ステップＳ１２０５では、無線部２０３が通信相手にデータパケット（＃ｎ）を送信する。初めてステップＳ１２０５を処理するときは、ｎは１である。  
ステップＳ１２０６では、無線部２０３が通信相手から応答パケットを正常に受信できたかどうかの判定を行う。応答パケットを正常に受信できた場合は、ステップＳ１２０７へ進む。応答パケットを正常に受信できなかった場合は、ステップＳ１２０５へ戻り、再び同じデータパケットを送信する。
【００４１】
ステップＳ１２０７では、閾値判定部２０５が無線部２０３からの信号品質と閾値設定部２０４からの閾値とを比較して、信号品質が閾値よりも低いかどうかを判定する。信号品質が閾値よりも低い場合は、ステップＳ１２０８へ進む。信号品質が閾値以上である場合は、ステップＳ１２１０へ進む。  
ステップＳ１２０８では、低速モードパラメータ設定部２０６が指示信号を受け取ったかどうかを判定する。無線通信装置２００が指示信号を受け取った場合は、ステップＳ１２０９へ進む。無線通信装置２００が指示信号を受け取っていない場合は、ステップＳ１２１０へ進む。  
ステップＳ１２０９では、無線部２０３が、低速モードパラメータ設定部２０６から低速モードパラメータを受け取ることにより、無線通信を高速モードから低速モードで行うように切り替える。  
ステップＳ１２１０では、無線部２０３がデータの送信を全て終了したかどうかを判定する。データの送信が全て終了していない場合は、ステップＳ１２１１においてｎを１つインクリメントしたのち、ステップＳ１２０５へ戻り、データを全て送信するまでステップＳ１２０５からステップＳ１２０９までの処理を繰り返す。以上で端末１０１側の動作を終了する。
【００４２】
次に、親局１０２の動作について図１２（ｂ）のフローチャートを参照して詳細に説明する。  
ステップＳ１２５１では、無線部２０３が、高速モードパラメータ設定部２０２からの高速モードパラメータにより無線通信を高速モードで行うように設定する。  
ステップＳ１２５２では、無線部２０３が通信相手から接続要求パケットを正常に受信したかどうかを判定する。接続許可パケットを正常に受信した場合は、ステップＳ１２５３へ進む。接続許可パケットを正常に受信できなかった場合は、正常に受信できるまでステップＳ１２５２の処理を繰り返す。  
ステップＳ１２５３では、無線部２０３が接続許可パケットを送信する。
【００４３】
ステップＳ１２５４では、無線部２０３が通信相手からｎ番目のデータパケットを正常に受信できたかどうかを判定する。データパケットを正常に受信できた場合は、ステップＳ１２５６へ進む。データパケットを正常に受信できなかった場合は、ステップＳ１２５５へ進む。初めてステップＳ１２５４を処理するときは、ｎは１である。  
ステップＳ１２５５では、無線部２０３が最初のデータパケット（データパケット＃１）であるかどうかを判定する。最初のデータパケットであれば、ステップＳ１２５２へ戻り、ステップＳ１２５２からステップＳ１２５４まで同様の処理を行う。最初のデータパケットでなければ、ステップＳ１２５４へ戻り、データパケットを受信するまで同様の処理を繰り返す。  
ステップＳ１２５６では、無線部２０３が高速モードから低速モードに切り替えるかどうかの判定を行う。この判定は、図３に示すＰＨＹヘッダーのフラグが低速モードを示すかどうかにより行い、フラグが低速モードを示す場合は、ステップＳ１２５７に進み、無線部２０３が低速モードパラメータ設定部２０６から低速モードパラメータを受け取ることにより、無線通信を高速モードから低速モードで行うように切り替える。フラグが低速モードを示さない場合は、ステップＳ１２５８へ進む。  
ステップＳ１２５８では、無線部２０３が通信相手に応答パケットを送信する。
【００４４】
ステップＳ１２５９では、無線部２０３が全てのデータパケットを受信したかどうかを判定する。全てのデータパケットを受信していない場合は、ステップＳ１２６０においてｎを１つインクリメントしたのち、ステップＳ１２５４へ戻り、ステップＳ１２５４からステップＳ１２５８まで同様の処理を繰り返す。全てのデータを受信した場合は、最初の状態（ステップＳ１２５１）へ戻る。  
次に、端末がデータを送信する場合に、送信パケット誤り数を信号品質として閾値判定をおこなう場合の端末の動作について図１３を参照して詳細に説明する。  
ステップＳ１３０１からステップＳ１３０３までは図１２（ａ）に示すステップＳ１２０１からステップＳ１２０３までと同様の処理を行うのでここでの説明は省略する。
【００４５】
ステップＳ１３０４では、エラーカウンター（ｅｒｒ）を０に設定する。  
ステップＳ１３０５では、無線部２０３が通信相手にデータパケット（＃ｎ）を送信する。初めてステップＳ１２０５を処理するときは、ｎは１である。  
ステップＳ１３０６では、無線部２０３が通信相手から応答パケットを正常に受信できたかどうかの判定を行う。応答パケットを正常に受信できた場合は、ステップＳ１３０８へ進む。応答パケットを正常に受信できなかった場合は、ステップＳ１３０７においてエラーカウンターを１つインクリメントしたのち、ステップＳ１３０５へ戻り、再び同じデータパケットを送信する。  
ステップＳ１３０８では、閾値判定部２０５が、無線部２０３からの受信した応答パケットのエラーカウンターのカウント数と閾値設定部２０４からの閾値とを比較して、エラーカウンターのカウント数が閾値よりも大きいかどうかを判定する。エラーカウンターのカウント数が閾値よりも大きい場合は、ステップＳ１３０９へ進む。エラーカウンターのカウント数が閾値以下である場合は、ステップＳ１３１１へ進む。
【００４６】
ステップＳ１３０９では、低速モードパラメータ設定部２０６が指示信号を受け取ったかどうかを判定する。低速モードパラメータ設定部２０６が指示信号を受け取った場合は、ステップＳ１３１０へ進む。低速モードパラメータ設定部２０６が指示信号を受け取っていない場合は、ステップＳ１３１１へ進む。  
ステップＳ１３１０では、無線部２０３が、低速モードパラメータ設定部２０６から低速モードパラメータを受け取ることにより、無線通信を高速モードから低速モードで行うように切り替える。  
ステップＳ１３１１では、無線部２０３がデータの送信を全て終了したかどうかを判定する。データの送信が全て終了していない場合は、ステップＳ１３１２においてｎを１つインクリメントしたのち、ステップＳ１３０５へ戻り、データを全て送信するまでステップＳ１３０５からステップＳ１３０９までの処理を繰り返す。以上で端末１０１側の動作を終了する。
【００４７】
以上に示した第１の実施形態によれば、近距離でマルチパスが発生する場合に、近接検出信号および指示信号のどちらの起動方法でも、瞬時転送（高速モード）に対応でき、かつ、検出信号が指示信号である場合は、信号品質が劣化した場合に瞬時転送よりも安定性を重視した低速モードに切り替えて対応することができる。
【００４８】
（第２の実施形態）  
本実施形態では、タイマーを用いて一定の時間（期間）が経過した場合に高速モードから低速モードへ切り替える点が第１の実施形態と異なる。
【００４９】
本実施形態に係る無線通信装置の使用例について図１４を参照して詳細に説明する。  
（Ａ）および（Ｄ）は図１と同様の使用例であるためここでの説明は省略する。（Ｂ）は、端末１０１および親局１０２を近づけて通信を開始してから機器を少し離して数分で転送する場合を示す。機器間の距離が近いため高速モードでデータを転送するが、データの転送完了までに数分かかる場合では、初めの端末１０１と親局１０２との位置関係が変化することがあり、低速モードでデータを転送した方がよい場合を想定している。  
（Ｃ）は、端末１０１のボタンを押下してから機器同士を近づけて瞬時転送する場合を示す。第１の実施形態の（Ｃ）とは異なり、先に端末１０１のボタンを押下してから親局１０２に近づけるため、始めには機器間の距離が離れるため高速モードでデータを転送するには通信状態が不安定であり、低速モードでデータを転送する方がよいとも考えられるが、徐々に機器間の距離が縮まるため、高速モードでデータを転送することが可能になる場合を想定している。
【００５０】
本実施形態における無線通信装置の構成について図１５を参照して詳細に説明する。  
本実施形態に係る無線通信装置１５００は、第１の実施形態に係る無線通信装置２００と同一の構成に、さらにタイマー１５０１を含む。  
起動部２０１、高速モードパラメータ設定部２０２、無線部２０３、閾値設定部２０４、および、閾値判定部２０５は第１の実施形態と同様の動作を行う。
【００５１】
タイマー１５０１は、タイマー１５０１は近接検出信号またはユーザ操作を検出する信号が入力された時にタイマー１５０１をリセットする。そして、タイマー１５０１内で設定した期間よりも時間が経過した場合に、フラグを立てて低速モードパラメータ設定部２０６へ送る。
【００５２】
低速モードパラメータ設定部２０６は、ユーザ操作の検出信号を受け取る代わりに、タイマー１５０１からフラグを受け取って低速モードのパラメータ設定値を出力する点が第１の実施形態に係る低速モードパラメータ設定部２０６の動作と異なる。
【００５３】
タイマー１５０１の構成の一例について図１６を参照して詳細に説明する。  
タイマー１５０１は、カウントアップタイマー１６０１、１６０２、信号判定部１６０３、スイッチ１６０４を含む。
【００５４】
カウントアップタイマー１６０１、１６０２はそれぞれ、近接検出信号用および指示信号用のタイマーである。  
カウントアップタイマー１６０１は、近接検出信号を受け取ったときにカウントアップタイマー１６０１がリセットされ、近接検出信号用の期間ＴＳＮＳに達するまで時間の計測を行う。そしてカウント値が期間ＴＳＮＳ以上になった時にフラグを立てる。  
カウントアップタイマー１６０２も同様に、指示信号を受け取ったときにカウントアップタイマー１６０２がリセットされ、指示信号用の期間ＴＵＳＲに達するまで時間の計測を行う。そしてカウント値が期間ＴＵＳＲ以上になった時にフラグを立てる。
【００５５】
信号判定部１６０３は、無線通信装置１５００が近接検出信号および指示信号のどちらを受け取ったかを判定する。  
スイッチ１６０４は、信号判定部１６０３から受け取った判定結果をもとに、判定結果が近接検出信号であればカウントアップタイマー１６０１から、フラグを低速モードパラメータ設定部２０６へ送る。一方、判定結果が指示信号であればカウントアップタイマー１６０２から、フラグを低速モードパラメータ設定部２０６へ送る。
【００５６】
なお、低速モードパラメータ設定部２０６に予め期間ＴＳＮＳ、ＴＵＳＲの情報を格納しておき、カウントアップタイマー１６０１、１６０２が、それぞれ期間ＴＳＮＳ、ＴＵＳＲに達した時点で低速モードパラメータ設定部２０６へフラグを送り、低速モードパラメータ設定部２０６において近接検出信号または指示信号のどちらのフラグであるか判定してもよい。  
さらに、カウントアップタイマーを１つだけ用いて、期間を設定せずにカウントさせて、スイッチ１６０４が信号判定部１６０３からの判定結果をもとに、期間ＴＳＮＳ、ＴＵＳＲのどちらかの期間に達した時点でフラグを低速モードパラメータ設定部２０６へ送ってもよい。例えば、スイッチ１６０４が信号判定部１６０３から指示信号であることを示す判定結果を受け取ったとき、カウントアップタイマーのカウント値が期間ＴＵＳＲに達した時点でフラグを送ればよい。
【００５７】
本実施形態における無線通信装置に係る端末の動作を図１７のフローチャートを参照して詳細に説明する。端末１０１は、起動部２０１に近接検出信号および指示信号のいずれかが入力されたときに起動する。  
ステップＳ１７０１では、タイマー１５０１に近接検出信号および指示信号のいずれかが入力されたときに、対応するカウントアップタイマー１６０１または１６０２をリセット、すなわちｔを０に設定した後、時間の計測を始める。  
ステップＳ１７０２からステップＳ１７０７までの処理は、図１０（ａ）に示すステップＳ１００１からステップＳ１００６までの処理と同様であるので、ここでの説明は省略する。
【００５８】
ステップＳ１７０８では、低速モードパラメータ設定部２０６において、タイマーのフラグが立っているかどうかを判定する。フラグが立っている場合は、ステップＳ１７０９へ進む。フラグが立っていない場合は、ステップＳ１７１１へ進む。  
ステップＳ１７０９では、低速モードパラメータ設定部２０６に指示信号が入力されている場合、タイマーのカウント値ｔが期間ＴＵＳＲよりも大きいかどうかを判定する。カウント値ｔが期間ＴＵＳＲよりも大きい場合は、ステップＳ１７１０へ進む。カウント値ｔが期間ＴＵＳＲ以下である場合は、ステップＳ１７１１へ進む。なお、近接検出信号のみ入力されている場合は、ステップＳ１７０９の判定処理を行わずに、ステップＳ１７１０へ進む。  
ステップＳ１７１０からステップＳ１７１３までの処理は、図１０（ａ）に示すステップＳ１００８からステップＳ１０１１までの処理と同様であるので、ここでの説明を省略する。このように、タイマーにより予め設定した期間に応じて高速モードから低速モードへ切り替えることが可能となる。
【００５９】
また、期間ＴＳＮＳとＴＵＳＲとの関係は、ＴＳＮＳ＜ＴＵＳＲとする。このように、指示信号の期間を近接検出信号の期間より大きくすることで、図１４の（Ｃ）のように、ボタンを押してから通信における信号品質が大きく変動する状況において、低速モードへの無駄な切り替えを回避することができる。  
また、要求されるファイルサイズによりタイマー１５０１の期間を変更してもよい。
【００６０】
要求されるファイルサイズによるタイマーの期間の変更する場合の無線通信装置の構成例について図１８を参照して詳細に説明する。  
無線通信装置１８００と図１５に示す無線通信装置１５００との違いは、図１８に示すタイマー１８０１が無線通信におけるデータサイズの想定値に基づいて、期間を設定する点である。データサイズの想定値に応じて期間を大きくすることで、瞬時転送と安定性とのバランスを保ちながら通信を行うことができる。
【００６１】
タイマー１８０１の構成の一例について図１９を参照して詳細に説明する。  
タイマー１８０１は、ＯＲ回路１９０１、タイマー値設定部１９０２、およびカウントアップタイマー１９０３を含む。  
ＯＲ回路１９０１は、近接検出信号または指示信号を受け取り、受け取った検出信号をカウントアップタイマー１９０３へ送る。  
タイマー値設定部１９０２は、外部から要求されるファイル想定サイズを受け取り、外部から近接検出信号または指示信号を受け取り、ファイル想定サイズに合わせて期間を設定する。具体的には、ファイル想定サイズが大きければ、転送を終えるまでに時間がかかると考えられるため期間を大きく設定する。一方、ファイル想定サイズが小さければ、瞬時転送が可能であると考えられるため期間を小さく設定する。  
カウントアップタイマー１９０３は、ＯＲ回路１９０１から検出信号を、タイマー値設定部１９０２から期間をそれぞれ受け取り、検出信号を受け取ったときにタイマーをリセットしてカウントを開始し、カウント値が期間に達した時点でフラグを低速モードパラメータ設定部２０６へ送る。
【００６２】
以上に示した第２の実施形態によれば、タイマーを用いて一定の時間（期間）を経過した場合に、高速モード（高速伝送）から低速モード（低速伝送）へ切り替えることにより瞬時転送と安定性を重視した転送との要求が異なる使い方に対応できる。
【００６３】
（第３の実施形態）  
本実施形態における無線通信装置の構成について図２０を参照して詳細に説明する。  
第１の実施形態における無線通信装置２００との違いは、閾値設定部２００１が無線部２０３で使用するキャリア周波数またはアンテナの種類に基づいて、閾値を設定する点である。
【００６４】
始めに、キャリア周波数に基づいて閾値を設定する場合を説明する。一般に、キャリア周波数が高い方が伝搬損失は大きく、通信が不安定になりやすい。よって、キャリア周波数が高い場合に、閾値設定部２００１が信号品質に対する閾値を低く設定して早めに低速モードに切り替えることで、高いキャリア周波数においても安定な通信を行うことができる。
【００６５】
次に、アンテナの種類に基づいて閾値を設定する場合を説明する。外付けアンテナより機器内蔵アンテナの方が機器内反射に起因するマルチパスが多く、通信が不安定になりやすい。例として、マルチパスに起因する遅延波の最大遅延時間の測定結果を図２１に示す。条件として、６０ＧＨｚ帯で通信距離を１０ｃｍ以内とした場合の測定値を示している。Ａｎｔ−Ａｎｔは外付けアンテナ同士の対向、Ａｎｔ−Ｃａｍｅｒａは外付けアンテナとデジタルカメラに内蔵したアンテナの対向、Ａｎｔ−ＰＣは外付けアンテナとノートパソコンに内蔵したアンテナの対向、Ｃａｍｅｒａ−ＰＣはデジタルカメラに内蔵したアンテナとノートパソコンに内蔵したアンテナの対向を意味している。外付けアンテナより機器内蔵アンテナの方が最大遅延時間は大きく、最大２ナノ秒程度であることが分かる。  
よって、閾値設定部２００１において、無線通信装置２０００のアンテナが機器に内蔵されているか否かに基づいて信号品質に対する閾値を低く設定して早めに低速モードに切り替えることで、機器内蔵アンテナにおいても安定な通信を行うことができる。
【００６６】
ここで、本実施形態に係る無線部で用いられる復調器の構成例について図２２を参照して詳細に説明する。復調器２２００は、可変利得増幅部２２０１、ＤＣカットフィルタ２２０２、ＡＤ変換部２２０３、ＯＦＤＭ復調部２２０４、および利得制御部２２０５を含む。
【００６７】
アンテナ（図示せず）で受信された信号は、ＲＦ回路（図示せず）によりアナログベースバンド信号に変換される。  
続いて、可変利得増幅部２２０１は、信号レベルを調整する。  
ＤＣカットフィルタ２２０２は、不要なＤＣ成分を除去する。ＤＣカットフィルタ２２０２の処理は、後段のＡＤ変換部２２０３の所要ビット数の削減、すなわち、ＡＤ変換部２２０３の低消費電力化のために重要である。  
ＡＤ変換部２２０３は、ＤＣカットフィルタ２２０２からアナログ信号を受け取り、デジタル信号に変換する。  
ＯＦＤＭ復調部２２０４は、ＡＤ変換部２２０３からデジタル信号を受け取り、復調を行う。  
利得制御部２２０５は、受信信号の信号レベルに基づいて可変利得増幅部２２０１の制御を行う。利得制御処理は、図３に示すプリアンブル３０２、３０６を用いて行えばよい。
【００６８】
ＤＣカットフィルタ２２０２のハイパスカットオフ周波数は、ＯＦＤＭ信号のサブキャリア間隔の１／４を目安に設定する。利得制御部２２０５により可変利得増幅部２２０１の利得を切り替えた後、増幅された信号が安定するまでの時間、すなわち、過渡応答時間はハイパスカットオフ周波数に反比例する。したがって、ハイパスカットオフ周波数が高いほど、過渡応答時間が短くなり、プリアンブルを短くすることができる。プリアンブルの短縮は高速伝送を行う上で重要である。なお、ＯＦＤＭではＤＣ成分のサブキャリアを用いない、いわゆる、ヌルサブキャリアとすることが一般的である。図２２の例では、ＤＣ成分のヌルサブキャリアを１本としている。ヌルサブキャリアを３本としてもよい。
【００６９】
以上に示した第３の実施形態よれば、ミリ波無線機を機器に内蔵して近距離通信を行う場合、機器内反射によるマルチパスが発生することを考慮してデータの転送を行う際に高速モードと低速モードとを切り替えることにより瞬時転送と安定性を重視した転送とのバランスがよい通信を行うことができる。
【００７０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００７１】
本発明に係る無線通信装置は、機器間のコンテンツの送受信を行うのに有効である。
【符号の説明】
【００７２】
１０１・・・端末、１０２・・・親局、２００，１５００，１８００，２０００・・・無線通信装置、２０１・・・起動部、２０２・・・高速モードパラメータ設定部、２０３・・・無線部、２０４・・・閾値設定部、２０５・・・閾値判定部、２０６・・・低速モードパラメータ設定部、３０１・・・データパケット、３０２，３０６・・・プリアンブル、３０３，３０７・・・ヘッダー、３０４・・・データ本体、３０５・・・応答パケット、３０８・・・ＡＣＫ本体、５０１・・・ＧＩ、５０２・・・有効シンボル、１５０１，１８０１・・・タイマー、１６０１，１６０２，１９０３・・・カウントアップタイマー、１６０３・・・信号判定部、１６０４・・・スイッチ、１９０１・・・ＯＲ回路、１９０２・・・タイマー値設定部、２００１・・・閾値設定部、２２００・・・復調器、２２０１・・・可変利得増幅部、２２０２・・・ＤＣカットフィルタ、２２０３・・・ＡＤ変換部、２２０４・・・ＯＦＤＭ復調部、２２０５・・・利得制御部。
【図１】
0005414802.tif 000002
【図２】
0005414802.tif 000003
【図３】
0005414802.tif 000004
【図４】
0005414802.tif 000005
【図５】
0005414802.tif 000006
【図６】
0005414802.tif 000007
【図７】
0005414802.tif 000008
【図８】
0005414802.tif 000009
【図９】
0005414802.tif 000010
【図１１】
0005414802.tif 000011
【図１３】
0005414802.tif 000012
【図１４】
0005414802.tif 000013
【図１５】
0005414802.tif 000014
【図１６】
0005414802.tif 000015
【図１８】
0005414802.tif 000016
【図１９】
0005414802.tif 000017
【図２０】
0005414802.tif 000018
【図２１】
0005414802.tif 000019
【図２２】
0005414802.tif 000020
【図１０】
0005414802.tif 000021
【図１２】
0005414802.tif 000022
【図１７】
0005414802.tif 000023